(57)【要約】      （修正有）【課題】水性クレヨン又は蛍光ボードマーカーでの筆記及び消字に最適なブラックシートリフィルを提供する。【解決手段】水性クレヨン又は蛍光ボードマーカーで筆記又は消字する手帳用のブラックシートリフィルであって、本体１が、ポリプロピレン樹脂の黒色のシートであって、両面を、凹凸にシボ付けされた梨地とした。リング用の穴１０を備え、当該穴には最短の端辺に向けてスリット１１が形成されている。【選択図】図１
0003224604.tif 000002
【実用新案登録請求の範囲】
【請求項１】
水性クレヨン又は蛍光ボードマーカーで筆記又は消字する手帳用のブラックシートリフィルであって、本体が、ポリプロピレン樹脂の黒色のシートであって、両面を、凹凸にシボ付けされた梨地としたことを特徴とするブラックシートリフィル。
【請求項２】
リング用の穴を備え、当該穴には最短の端辺に向けてスリットが形成されていることを特徴とするブラックシートリフィル。
【請求項３】
水性クレヨン又は蛍光ボードマーカーで筆記又は消字するブラックシートであって、本体が、ポリプロピレン樹脂の黒色のシートであって、両面を、凹凸にシボ付けされた梨地としたことを特徴とするブラックシート。
【考案の詳細な説明】
【技術分野】
【０００１】
本考案は、水性クレヨン又は蛍光ボードマーカーで書き込みできる手帳用のブラックシートリフィルに係り、特に、水性クレヨン又は蛍光ボードマーカーでの筆記及び消字に最適なブラックシートリフィルに関する。
【背景技術】
【０００２】
［先行技術の説明］
従来、黒板等の表面に貼り付けることができる黒板シートが提案されている。
従来の黒板シートは、ゴムシートの上にプラスチックフィルムを積層し、その上に更に黒板塗料を積層した構成で、軽量で持ち運びしやすいものとなっている。
【０００３】
［関連技術］
尚、関連する先行技術としては、実用新案登録第３１４９８６５号公報「黒板シート」（特許文献１）、実用新案登録第３１４９８６６号公報「黒板シート」（特許文献２）がある。
【０００４】
特許文献１には、ゴムシートの上にプラスチックフィルムを積層し、更にその上に黒板塗料を積層する黒板シートが記載されている。
特許文献２には、既存の黒板表面に貼り付ける黒板シートであり、剥離紙、両面接着材料、プラスチックフィルム、黒板塗料を積層した構成が記載されている。
【先行技術文献】
【特許文献】
【０００５】
【特許文献１】実用新案登録第３１４９８６５号公報
【特許文献２】実用新案登録第３１４９８６６号公報
【考案の概要】
【考案が解決しようとする課題】
【０００６】
しかしながら、従来の黒板シートは、学校用のものであって大きく、手帳用のリフィルとして提供されているものではなく、店舗等のブラックボードで使用される水性クレヨン又は蛍光ボードマーカーで筆記した場合にのり（密着性）が悪く、また、水で拭き取って消字した場合に色が残ってしまうという問題点があった。
【０００７】
尚、特許文献１，２には、水性クレヨン又は蛍光ボードマーカーでの筆記及び消字が容易な手帳用のシートリフィルについては記載されていない。
【０００８】
本考案は上記実状に鑑みて為されたもので、水性クレヨン又は蛍光ボードマーカーでの筆記及び消字に最適な手帳用のブラックシートリフィルを提供することを目的とする。
【課題を解決するための手段】
【０００９】
上記従来例の問題点を解決するための本考案は、水性クレヨン又は蛍光ボードマーカーで筆記又は消字する手帳用のブラックシートリフィルであって、本体が、ポリプロピレン樹脂の黒色のシートであって、両面を、凹凸にシボ付けされた梨地としたことを特徴としている。
【００１０】
本考案は、上記ブラックシートリフィルにおいて、本体が、リング用の穴を備え、当該穴には最短の端辺に向けてスリットが形成されていることを特徴としている。
【００１１】
本考案は、水性クレヨン又は蛍光ボードマーカーで筆記又は消字するブラックシートであって、本体が、ポリプロピレン樹脂の黒色のシートであって、両面を、凹凸にシボ付けされた梨地としたことを特徴としている。
【考案の効果】
【００１２】
本考案によれば、本体が、ポリプロピレン樹脂の黒色のシートであって、両面を、凹凸にシボ付けされた梨地とした手帳用のブラックシートリフィルとしているので、シートの表面では水性クレヨン又は蛍光ボードマーカーの定着性がよく、しかも消字の際には色残りなく、水性クレヨン又は蛍光ボードマーカーでの筆記及び消字を容易に行うことができる効果がある。
【図面の簡単な説明】
【００１３】
【図１】本シートリフィルの平面説明図である。
【図２】筆記テストを示す図である。
【図３】水性クレヨンの消字テストを示す図である。
【図４】蛍光ボードマーカーの消字テストを示す図である。
【考案を実施するための形態】
【００１４】
本考案の実施の形態について図面を参照しながら説明する。
［実施の形態の概要］
本考案の実施の形態に係る手帳用のブラックシートリフィル（本シートリフィル）は、本体が、黒色のポリプロピレン（polypropylene：ＰＰ）系樹脂のシートであり、両面に細かい凹凸の模様をシボ（皺）付けして梨地にするエンボス加工が施されたものとしているので、店舗等のブラックボードで使用される水性クレヨン又は蛍光ボードマーカーの定着性がよく、しかも消字の際には色残りなく、水性クレヨン又は蛍光ボードマーカーでの筆記及び消字を容易に行うことができるものである。
【００１５】
また、本シートリフィルは、リング用の穴が形成され、当該穴には最短の端辺に向けてスリットが形成されており、リングを開けなくても、本体を手帳のバインダーに取り付け又は取り外しできるものである。
【００１６】
［本シートリフィル：図１］
本シートリフィルについて図１を参照しながら説明する。図１は、本シートリフィルの平面説明図である。
本シートリフィルは、図１に示すように、本体１が黒色で、バインダーのリングに閉じるための穴１０が形成され、その穴１０から最短の端辺に向けてスリット１１が形成されている。
【００１７】
また、本体１の四隅が角丸加工されており、ユーザを傷つけることがなく、安心である。
本シートリフィルの本体１は、例えば、大きさがＡ５サイズで、厚さが０．４ｍｍ〜０．６ｍｍ程度である。大きさは、バイブルサイズ、ポケットサイズでもよい。
【００１８】
また、本シートリフィルの本体１は、黒色のポリプロピレン（ＰＰ）系樹脂で形成されている。
ＰＰ系樹脂としては、ポリプロピレンの他に、プロピレンとエチレン、その他のモノマーとの共重合体を挙げることができる。
【００１９】
そして、本システムリフィルの本体１は、両面に細かい凹凸の模様をシボ（皺）付けして梨地にするエンボス加工が施されている。
本体１が、シボ付けされて梨地の模様になっていることで、店舗等のブラックボードで使用される水性クレヨン又は蛍光ボードマーカーの定着性がよく、しかも消字の際には色残りなく、水性クレヨン又は蛍光ボードマーカーでの筆記及び消字を容易に行うことができる。
尚、本シートリフィルでは、両面を梨地としているが、一方の面だけを梨地にしてもよい。
【００２０】
本シートリフィルは、表面の反射が少なく、板面が見やすくなっている。
また、本シートリフィルの本体１の表面に、チョーク、水性クレヨン、蛍光ボードマーカーで書き込むと、それらの筆記材料の残りが良く（のりが良く）、水拭きによる消字も色残りがない。
また、本シートリフィルは、ＰＰ系樹脂のシートであって、フレームがないから、水で丸洗いでき便利である。
【００２１】
更に、本シートリフィルは、ＰＰ系樹脂の薄いシートであるので、ハサミやカッターでカットして小片で使用することができる。
無論、店舗用でも使用でき、ピンで壁に止めて掲示でき、小さくカットすれば、ＰＯＰ（Point Of Purchase advertising）として、何度も使用できる。
【００２２】
［筆記テスト：図２］
次に、筆記テストについて図２を参照しながら説明する。図２は、筆記テストを示す図である。尚、本シートリフィルのＰＰシート（以下単に「ＰＰシート」）と比較するため、既存品としてＰＶＣ（ポリ塩化ビニル）シートを用いて、レッドとパープルの水性クレヨンで描いている。図２（ａ）がＰＶＣシートの画像で、図２（ｂ）がＰＰシートの画像である。
【００２３】
従来のＰＶＣシートも本シートリフィルのＰＰシートも、光を反射しないマット調（ツヤ消し）のシートであり、梨地のエンボス加工が施されているが、ＰＶＣシートがその素材感から、触り心地が滑らかで指で触っても凹凸を感じないものであるのに対して、本シートリフィルのＰＰシートは、表面の凹凸が指で触って顕著に分かる感じで、よりザラザラした感じとなっている。
【００２４】
図２（ａ）に示すように、ＰＶＣシートでは、ＰＰシートに比べて平滑性が高すぎて、インクが滑り、シートへの定着力が弱く、２色を重ねる際に、上の色が滑り、下の色をこそげ取ってしまうことがあり、綺麗に発色しないなど、重ね塗りが上手くできない。
【００２５】
それに対して、ＰＰシートでは、図２（ｂ）に示すように、ＰＶＣシートに比べて表面のザラザラ感のある凹凸があるため、インクがのりやすく、シートへの定着力が強い。水性クレヨンで２色を重ねる際も、下の色に上の色がしっかりのり、鮮やかな発色の再現ができるものとなっている。
【００２６】
［消字テスト（水性クレヨン）：図３］
次に、消字テストについて図３を参照しながら説明する。図３は、水性クレヨンの消字テストを示す図である。ここでも既存品としてＰＶＣシートを用いている。図３（ａ）がＰＶＣシートの画像で、図３（ｂ）がＰＰシートの画像である。
図３では、既存品とＰＰシートに水性クレヨンで書き込み、ティッシュペーパーに水を含ませて消字した結果である。
【００２７】
図３の左側に記載したアルファベットは、Ｃがブラウン、Ａがブルー、Ｍがグリーン、Ｖがパープル、Ｒがレッド、Ｐがピンク、Ｄがオレンジ、Ｌがクリーム、Ｙがイエロー、Ｗがホワイトである。
【００２８】
ＰＶＣシートでは、図３（ａ）に示すように、消字後に色の跡がうっすら残り、とれず、特にＲ（レッド）は残り易い。
これに対して、ＰＰシートでは、図３（ｂ）に示すように、消字後に色が残ることがなく、綺麗に消えている。
【００２９】
［消字テスト（蛍光ボードマーカー）：図４］
次に、消字テストについて図４を参照しながら説明する。図４は、蛍光ボードマーカーの消字テストを示す図である。ここでも既存品としてＰＶＣシートを用いている。図４（ａ）がＰＶＣシートの画像で、図４（ｂ）がＰＰシートの画像である。
図４では、既存品のＰＶＣシートとＰＰシートに蛍光ボードマーカーで書き込み、ティッシュに水を含ませて消字した結果である。
【００３０】
図４で左側のアルファベットは、Ａがブルー、Ｍがグリーン、Ｖがパープル、Ｒがレッド、Ｐがピンク、Ｄがオレンジ、Ｙがイエロー、Ｗがホワイト、Ｃがブラウン、ＭＤがリーフグリーン、Ｊがベージュ、Ｌがクリームである。
【００３１】
ＰＶＣシートでは、図４（ａ）に示すように、消字後に色の跡が残って、とれず、特にＲ（レッド）、Ｃ（ブラウン）、ＭＤ（リーフグリーン）、Ｌ（クリーム）は消えていない。
これに対して、ＰＰシートでは、図４（ｂ）に示すように、消字後に色が残ることがなく、綺麗に消えている。
【００３２】
つまり、本シートリフィルのＰＰシートは、梨地による凹凸が、筆記の際にインクが入り（定着し）易く、また消字の際にはインクが凹部に残らないような、梨地の凹凸の深さ、大きさ、粗さ／細かさとなっている。
【００３３】
本シートリフィルでは、手帳のリフィルとしてバインダーのリング用の穴１０を形成しているが、穴のないＰＰシートとして提供してもよい。大きさは、任意としてもよく、例えばＡ３又はＡ４サイズとしてもよい。
このシートでも、本シートリフィルと同様に、ハサミやカッターでカットして小片で使用することができ、ピンで壁に止めて掲示もでき、店頭用の書き消しできるブラックボードやＰＯＰの役割としての使用が可能である。
【００３４】
［実施の形態の効果］
本シートリフィルによれば、本体１０が、黒色のポリプロピレン（ＰＰ）系樹脂のシートであり、両面に細かい凹凸の模様をシボ付けして梨地にするエンボス加工が施されたものとしているので、店舗等のブラックボードで使用される水性クレヨン又は蛍光ボードマーカーの定着性がよく、しかも消字の際には色残りなく、水性クレヨン又は蛍光ボードマーカーでの筆記及び消字を容易に行うことができる効果がある。
【００３５】
また、本シートリフィルは、リング用の穴１０が形成され、当該穴には最短の端辺に向けてスリット１１が形成されており、リングを閉じたままでも、本体１を手帳のバインダーに取り付け又は取り外しできる効果がある。
【００３６】
また、本シートリフィルと同じ素材の穴のないＰＰシートも、店舗等のブラックボードで使用される水性クレヨン又は蛍光ボードマーカーの定着性がよく、しかも消字の際には色残りなく、水性クレヨン又は蛍光ボードマーカーでの筆記及び消字を容易に行うことができる効果がある。
【産業上の利用可能性】
【００３７】
本考案は、水性クレヨン又は蛍光ボードマーカーでの筆記及び消字に最適なブラックシートリフィルに適している。
【符号の説明】
【００３８】
１…本体、  １０…穴、  １１…スリット
【図１】
0003224604.tif 000003
【図２】
0003224604.tif 000004
【図３】
0003224604.tif 000005
【図４】
0003224604.tif 000006
【手続補正書】
【提出日】令和1年10月31日(2019.10.31)
【手続補正１】
【補正対象書類名】実用新案登録請求の範囲
【補正対象項目名】請求項２
【補正方法】変更
【補正の内容】
【請求項２】
リング用の穴を備え、当該穴には最短の端辺に向けてスリットが形成されていることを特徴とする請求項１記載のブラックシートリフィル。